【事件の表示】
　平成　８年特許願第５１２１５２号「抗新形成性のココア抽出物の製造および使用方法」拒絶査定不服審判事件〔平成　８年　４月１１日国際公開、ＷＯ９６／１０４０４、平成１０年　７月　７日国内公表、特表平１０−５０６９０３〕について、次のとおり審決する。
【結　論】
　本件審判の請求は、成り立たない。
【理　由】
１　手続の経緯 ・本願発明
　本願は、１９９５年１０月　３日（パリ条約による優先権主張外国庁受理１９９４年１０月　３日、米国）を国際出願日とする出願であって、その請求項１〜６に係る発明は、平成２１年　９月　３日付け手続補正書により補正された特許請求の範囲の請求項１〜６に記載されたとおりのものと認められるところ、そのうち請求項１に係る発明は、次のとおりのものと認める。（以下「本願発明」という。） 
　　
　「少なくとも１つの４量体から１２量体のココアプロシアニジンオリゴマーを含有するココア抽出物、および担体を含む、経口投与用の固体組成物。」
　
２　引用刊行物記載の発明
　これに対して、原査定の拒絶の理由に引用された、本願の優先日前である１９９２年　７月　９日に頒布された特開平４−１９０７７４号公報（以下「引用例１」という。）には、次の(1)〜（6）の事項が記載されている。
　　
　(1)「１　プロアントシアニジンオリゴマーを有効成分とする抗変異原性剤。
　　　 ２　プロアントシアニジンオリゴマーが、一般式
　
（式中、Ｒ１は水素又は水酸基、Ｒ２、Ｒ３、Ｒ４は水素、水酸基又はメトキシル基、Ｒ５は水素、ガロイル基又はグリコピラノシル基である）で表されるフラバン−３−オール又はフラバン−３，４−ジオールを構成単位として結合した２〜１０量体の群より選ばれた少なくとも１種である請求項１記載の抗変異原性剤。」（特許請求の範囲請求項１−２）
　　
　(2)「そしてまた該変異原性抑制作用はその縮合度又は重合度が増す程強くなることをも見出した。」（第２頁左下欄第２−４行）
　　
　(3)「先ず、本発明において、プロアントシアニジンオリゴマーとは、各種の植物体に存在する縮合型タンニン、すなわち、フラバン−３−オール又はフラバン−３，４−ジオールを構成単位として縮合若しくは重合により結合した化合物群であって、・・・。
　従って、該プロアントシアニジンオリゴマーとしては、前記構成単位の２量体、３量体、４量体、さらには１０量体以上の高分子のプロシアニジン、プロデルフィニジン、プロベラルゴニジンなどのプロアントシアニジンオリゴマー及びこれらの立体異性が全て含まれる。」（第２頁右上欄第２−１６行）
　　
　(4)「そしてまた、プロアントシアニジンオリゴマーは、通常粉末あるいは溶液の状態でそのまま又は可食性のもの（例えばグルコース、デキストリンなど）を加えて抗変異原性剤とし、これを食品に添加混合して使用される。」（第３頁左上欄第７−１１行）
  
　(5)「ここで、本発明に用いるプロアントシアニジンオリゴマーにつき、さらに具体的に示す。
　前記一般式で表されるフラバン−３−オール又はフラバン−３，４−ジオールを構成単位として結合した２〜ｌ０量体などのプロアントシアニジンオリゴマーは、公知方法すなわち合成法あるいは各種植物体よりの抽出などにより得ることができる。後者の場合についていうと、例えば各種の植物体を溶媒を用いて抽出処理し、得た抽出物をさらに液体クロマトグラフィーなどにより分別精製するか、・・・によって得られる。」（第３頁左上欄第１６行−同頁右上欄第１１行）
　　
　(6)「実施例
Ｉ．Ｔｒｐ　Ｐ−２（３−アミノ−１−メチル−５Ｈ−ピリド［４，３−ｂ］インドール）に対するカテキン、プロアントシアニジンオリゴマーの変異原性抑制作用
　変異原性物質Ｔｒｐ　Ｐ−２　０．０６６％（Ｗ／Ｖ）含有水溶液５０μｌ（該物質３３ｎｇ含有）に、第１表に示す添加量のカテキン（市販品）、プロアントシアニジンオリゴマーの１つである２量体プロシアニジンＢ−４（表において２量体ＰＣという）及びＣ４−Ｃ８結合の４量体プロシアニジン（表において４量体ＰＣという）（下記製法により得たもの）の各試料５０μｌ、Ｓ−９ｍｉｘ５００μｌ及びＴＡ９８株の前培養液１００μｌを加えた。この混合液を直ちに３７℃で２０分間インキュベーションし、次いでこれに０．５ｍＭのヒスチジン及び０．５ｍＭのビオチンを含む軟寒天液２ｍｌを加え、最少グルコース寒天培地に拡げた。そして３７℃で４８時間静置培養後、プレートのコロニー数を数えた。その結果を第１表に示す。
　プロアントシアニジンオリゴマーの製法：
・・・
（２）Ｃ４−Ｃ８結合の４量体プロシアニジン（Ｃ４−Ｃ８結合Ｃａｔｅｃｈｉｎ−Ｃａｔｅｃｈｉｎ−Ｃａｔｅｃｈｉｎ−Ｃａｔｅｃｈｉｎ）；
　白ぶどう（品種　シャルドンネ）搾汁粕を篩で分別して得た白ぶどう種子１ｋｇに対し、水２ｌを加え、８５℃で２時間抽出した。固液分離して得られた抽出液をポリスチレン系樹脂ＳＰ２０７（三菱化成製）カラム（φ１．８×５０ｃｍ）にて濾過し、ポリフェノールをカラムに吸着させた。このカラムを水１．５ｌ、１５％エタノール１．５ｌにて洗浄後、３０％エタノール１．５ｌにて溶出した。この溶出液を、減圧濃縮した後、凍結乾燥し、粗プロアントシアニジンオリゴマー２０．４ｇ（プロアントシアニジンオリゴマ−２〜６量体含有量５１％）を得た。この粉末の２ｇを取り、セファデックスＬＨ−２０（φ２．５×６６ｃｍ）を担体とし、エタノール２６００　ｍｌ及びメタノール２６００ｍｌを展開溶媒（２段階溶出）とし、紫外部（ＯＤ２８０ｎｍ）で検出するカラムクロマトグラフィーを行なった。この溶出液のうち、３２００〜３４００ｍｌの画分を分取し、前記Ａ．Ｇ．Ｈ．Ｌｅａの方法に準じて、目的物１５７ｍｇを得た。
・・・
　　　　　　　　　　　　　第１表　　
※自然復帰コロニー数／プレート：２３
　　
　第１表から、プロアントシアニジンオリゴマーのＴｒｐＰ−２に対するラット肝ホモジネート存在下での変異原性抑制率（抗変異原性）は、顕著に認められ、カテキンに比しても極めて高いことがわかる。」（第４頁左下欄下から３行−第６頁左上欄第２行）
　　
　また、同様に原査定の拒絶の理由に引用された、本願の優先日前である１９９２年に頒布されたJ.Clapperton et al，Polyphenols and Cocoa Flavour，Presented at the XVIth International Conference of the Group Polyphenols，１９９２年（以下「引用例２」という。）には、次の(7)〜（10）の事項が記載されている（英文のため日本語訳で摘示する。）。
　　
　(7)「液体クロマトグラフィーと質量分析を組み合わせた分析は、プロシアニジンがココア豆とココアマスの典型的な渋みに関与する主要な化合物類であることを示した。」（第１頁「要約」の第４−６行）
　　
　(8)「
プロシアニジンの分離。
　　
　(9)「ＬＳＩＭＳによるこれらの画分の分析的研究は、いくつかのフラバン−３−オールオリゴマーの存在を明らかにした（表1参照）。」（第３頁第１１−１２行）
　　
　(10)「表１：濃縮されたココアプロシアニジン画分からのＬＳＩＭＳ（陽イオン）データ
　　
　　　　オリゴマー　　（Ｍ＋１）＋　（Ｍ＋Ｎａ）＋　　　ＭＷ
　　　　　　　　　　　　ｍ／ｚ  　　　　ｍ／ｚ
−−−−−−−−−−−−−−−−−−−−−−−−−−−−−−−−
　　１量体（カテキン）　　291　　　　　 313　　　　 　　290
　　２量体　　　　　　　　577/579  　　　599/601  　　　　576/578
　　３量体　　　　　　　　865/867  　　　887/889  　　　　884/866
　　４量体　　　　　　　 1155　　　　　1177　　　　　　1154
　　５量体　　　　　　　 1443　　　　　1465　　　　　　1442
　　６量体　　　　　　　 1731　　　　　1753　　　　　　1730
　　７量体　　　　　　　 −　　　　　　2041　　　　　　2018
　　８量体　　　　　　　 −　　　　　　2329　　　　　　2306 　　　」（第３頁の表１）
　
　前記の記載事項(1)及び(6)からみて、引用例１には「白ぶどう種子の抽出物から得た４量体プロシアニジンを有効成分とする抗変異原性剤」の発明（以下、「引用発明」という。）が記載されていると認められる。
　
３　対比
　本願発明と引用発明を対比する。
　本願明細書の第１０頁第２４行−第１１頁第４行の「抽出物は、一般的に、ココア豆を粉末に還元し、粉末を脱脂し、活性な化合物（群）を脱脂された粉末から抽出することにより調製される。・・・活性な化合物（群）の抽出は溶媒抽出技術で可能である。抽出物は精製できる；例えば、ゲル濾過クロマトグラフィーによるかまたは調製的高性能液体クロマトグラフィー（ＨＰＬＣ）技術によるか、またはこれらの技術の組合せによる。活性を有する抽出物は、何れかの特定の理論に必ず拘束されることを望まないが、プロシアニジン等のココアポリフェノール（群）であると同定された。」の記載を含む、本願の発明の詳細な説明の記載全体からみて、本願発明の「少なくとも１つの４量体から１２量体のココアプロシアニジンオリゴマーを含有するココア抽出物」は、ココア豆の抽出物を精製して得たものである。
　一方、引用例１の前記記載事項(6)からみて、引用発明の「白ぶどう種子の抽出物から得た４量体プロシアニジン」は、白ぶどう種子の抽出物を精製して得た４量体のプロシアニジンオリゴマーであるから、本願発明と引用発明は「４量体のプロシアニジンオリゴマーを含有する植物体抽出物」の点で一致し、両者は、(a)前記「植物体抽出物」が、本願発明は「ココアプロシアニジンオリゴマーを含有するココア抽出物」であるのに対して、引用発明は「プロシアニジンオリゴマーを含有する白ぶどう種子抽出物」である点、(b)本願発明は、前記「植物体抽出物」、および担体を含む、経口投与用の固体組成物であるのに対し、引用発明は、前記「植物体抽出物」を有効成分とする抗変異原性剤である点で、相違する。
　　
４　当審の判断
　上記相違点(a)について検討する。
　前記記載事項(1)、(3)、(5)にあるように、引用例１には、引用発明の抗変異原性剤の有効成分である「４量体のプロシアニジンオリゴマー」は、種々の植物体から得た抽出物を精製して得た、２〜１０量体の群より選ばれた少なくとも１種又は１０量体以上の高分子のプロアントシアニジンオリゴマー及びこれらの立体異性であってもよいことが記載されている。
　一方、前記記載事項(7)〜(10)にあるように、引用例２には、ココア豆の抽出物を精製して、２〜８量体のプロシアニジンオリゴマーを含むココアプロシアニジン画分を得たことが記載されている。
　ここで、平成２１年　９月　３日付け意見書に添付された「参考資料（ｉ）ココアプロシアニジンオリゴマーの説明」の第１頁第２−３行及び同頁下から６行にも記載されているとおり、「プロシアニジン」は、プロアントシアニジンクラス内のポリフェノール化合物の亜群であって、専らカテキンおよびエピカテキンに由来するプロアントシアニジンを指すものであるところ、引用例２に記載された前記ココアプロシアニジン画分が、引用例１に記載された、種々の植物体から得た抽出物を精製して得た、２〜１０量体の群より選ばれた少なくとも１種のプロアントシアニジンオリゴマーに相当することは当業者に明らかであるから、引用発明の「プロシアニジンオリゴマーを含有する白ぶどう種子抽出物」に代えて引用例２に記載された前記ココアプロシアニジン画分を用いることは、引用例１及び２から当業者にとって容易である。
　　
　上記相違点(b)について検討する。
　前記記載事項(4)にあるように、引用例１には、プロアントシアニジンオリゴマーは粉末又は液体の状態でよく、グルコース、デキストリンなどの可食性のものを加えて抗変異原性剤とし、食品に添加混合して使用してよいことが記載されている。
　ここで、本願の発明の詳細な説明の記載全体を参照しても、本願発明の「担体」が具体的に何であるか明らかではないが、経口投与用の固体組成物に配合される「担体」は、通常、可食性のものであるから、本願発明の「担体」は、引用例１に記載された可食性のものを含むと解される。
　そして、固体組成物が食品の取り得る一般的な形態の１つであることは当業者に周知であり、且つ、そのような固体組成物が経口投与されることは当然であるから、引用発明において、プロシアニジンオリゴマーを含有する植物体抽出物に可食性のものを加えて抗変異原性剤とし、これを添加混合した経口投与用の固体組成物を調製することは、引用例１及び周知技術から、当業者にとって容易である。
　　
　加えて、本願発明が、引用例１−２及び周知技術から予測できない格別の効果を奏するものとも認められない。
　　
　なお、請求人は審判請求書にて、本願発明は、高い抗癌活性を有する４量体から１２量体のココアプロシアニジンオリゴマーを含有するココア抽出物を用いることによって、４量体未満のプロシアニジンオリゴマーを含む同様の組成物では得られない、顕著な作用効果（技術的利点）をもたらすことができる旨主張するが、引用発明は、４量体のプロシアニジンオリゴマーを含有する植物体抽出物を用いる点で本願発明と一致するし、且つ、前記記載事項(2)にあるように、引用例１には、プロアントシアニジンオリゴマーの変異原性抑制作用はその縮合度又は重合度が増す程強くなることも記載されているところ、本願の発明の詳細な説明の記載全体を参照しても、「少なくとも１つの４量体から１２量体のココアプロシアニジンオリゴマーを含有するココア抽出物」が他の植物体の抽出物から得られた同様の縮合度又は重合度を有するプロシアニジンオリゴマーに比して当業者の予測を超えた有利な効果を奏するものであることは記載されていないから、請求人の前記主張を採用することはできない。
　　
５　むすび
　したがって、本願の請求項１に係る発明は、引用例１及び２に記載された発明に基づいて当業者が容易に発明をすることができたものであるから、特許法２９条２項の規定により特許を受けることができない。
　したがって、本願は、他の請求項について論及するまでもなく拒絶すべきものである。
　よって、結論のとおり審決する。